(57)【要約】 【課題】  合成樹脂で成形された鍵盤蓋を開放した状態で譜面台として使用する際の鍵盤蓋の変形を防止できるとともに、製造コストの削減および外観の向上を図ることができる電子鍵盤楽器の鍵盤蓋装置を提供する。【解決手段】  鍵盤３を含む演奏部５を開閉する電子鍵盤楽器１の鍵盤蓋装置２であって、演奏部５の両側に配置された左右の腕木６，６と、合成樹脂の成形品で構成され、左右の腕木６，６に回動自在に取り付けられるとともに、左右方向に沿って延び且つ閉鎖状態において下方に屈曲する屈曲部７ｂを後端部に有する鍵盤蓋７と、演奏部５に設けられ、鍵盤蓋７の開放状態において、屈曲部７ｂが当接することによって、鍵盤蓋７の後方への回動を規制するストッパ８と、を備えている。【選択図】  図２
2005107462.tif 000002
【特許請求の範囲】
【請求項１】
鍵盤を含む演奏部を開閉する電子鍵盤楽器の鍵盤蓋装置であって、
前記演奏部の両側に配置された左右の腕木と、
合成樹脂の成形品で構成され、前記左右の腕木に回動自在に取り付けられるとともに、左右方向に沿って延び且つ閉鎖状態において下方に屈曲する屈曲部を後端部に有する鍵盤蓋と、
前記演奏部に設けられ、前記鍵盤蓋の開放状態において、前記屈曲部が当接することによって、前記鍵盤蓋の後方への回動を規制するストッパと、
を備えていることを特徴とする電子鍵盤楽器の鍵盤蓋装置。
【請求項２】
前記鍵盤蓋を前記左右の腕木に回動自在に取り付けるための左右の取付具をさらに備え、
前記左右の腕木の内側面には係合凹部が形成されており、
前記取付具は、
内方に開口し且つ前後方向に連続する凹部を有し、当該凹部に前記鍵盤蓋の左右の両端部の後端部を嵌め込んだ状態で前記鍵盤蓋が取り付けられた蓋取付部と、
当該蓋取付部から外方に突出し、前記左右の腕木の前記係合凹部にそれぞれ回動自在に係合する支軸部と、を有し、
前記屈曲部の左右の両端部が、前記取付具の前記蓋取付部よりも大きな所定の幅で切り欠かれていることを特徴とする、請求項１に記載の電子鍵盤楽器の鍵盤蓋装置。
【請求項３】
前記左右の腕木の少なくとも一方に設けられ、前記腕木に固定されたダンパ本体と、
当該ダンパ本体に対して回動自在で、内方に突出するとともに、前記鍵盤蓋に回転不能に連結され、前記鍵盤蓋が閉鎖側へ回動するときに、当該鍵盤蓋を制動する回動軸と、
を有するロータリーダンパをさらに備えていることを特徴とする、請求項１に記載の電子鍵盤楽器の鍵盤蓋装置。
【請求項４】
前記回動軸は、非円形の断面を有しており、
前記鍵盤蓋の裏面の左右の端部の少なくとも一方に取り付けられ、後方および上方に開放し、前記鍵盤蓋の裏面とともに、前記回動軸を回転不能に係止する係止凹部を形成する切欠を有する回動軸連結部材をさらに備えていることを特徴とする、請求項３に記載の電子鍵盤楽器の鍵盤蓋装置。
【請求項５】
前記回動軸連結部材は、前記鍵盤蓋の裏面に順に重ねられた第１および第２の板材で構成され、当該第２の板材は、前記第１の板材よりも後方に突出する突出部を有し、前記切欠は、前記突出部の内側に形成されていることを特徴とする、請求項４に記載の電子鍵盤楽器の鍵盤蓋装置。
【請求項６】
前記鍵盤蓋を前記左右の腕木に回動自在に支持するために、前記鍵盤蓋および前記左右の腕木の一方に設けられた左右の支軸と、
嵌合孔を有し、前記腕木および前記演奏部の少なくとも一方に固定され、前記支軸に前記嵌合孔を介して嵌合することによって、前記支軸の軸ぶれを阻止する
軸ぶれ阻止具と、
をさらに備えていることを特徴とする、請求項１に記載の電子鍵盤楽器の鍵盤蓋装置。
【請求項７】
前記ロータリーダンパの前記回動軸の基端部は、円形の断面を有しており、
嵌合孔を有し、前記腕木および前記演奏部の少なくとも一方に固定され、前記回動軸の前記基端部に前記嵌合孔を介して嵌合することによって、前記回動軸の軸ぶれを阻止する軸ぶれ阻止具をさらに備えていることを特徴とする、請求項４または５に記載の電子鍵盤楽器の鍵盤蓋装置。
【発明の詳細な説明】
【技術分野】
【０００１】
本発明は、電子ピアノや電子オルガンなどの電子鍵盤楽器の鍵盤蓋装置に関する。
【背景技術】
【０００２】
従来の電子鍵盤楽器の鍵盤蓋装置として、例えば特許文献１に開示されたものが知られている。図１２に示すように、この電子オルガン６１の鍵盤蓋装置６２は、演奏部６３の両側に配置された左右の腕木６４，６４と、両腕木６４、６４の後部間に水平に設けられ、この部分を覆う屋根６５と、屋根６５の前端部に取り付けられ、演奏部６３を開閉する鍵盤蓋６６などを備えている。鍵盤蓋６６は、その後端部が、屋根６５の前端部に複数の蝶番６７（１つのみ図示）を介して回動自在に取り付けられている。鍵盤蓋６６の裏面の左右両端部には、アーム状のステー６８，６８が固定されている。他方、左右の腕木６４，６４の内側面の所定位置には、ストッパピン６９，６９が突出して設けられている。以上の構成により、鍵盤蓋６６を後方に回動させると、ステー６８がストッパピン６９に係止されることによって、鍵盤蓋６６は、それ以上の回動が規制され、斜め後方に所定の角度で傾いた開放状態で保持される。鍵盤蓋６６は、この開放状態において、譜面台としても用いられる。
【０００３】
しかし、この鍵盤蓋装置６２は、鍵盤蓋６６が開放された状態において蝶番６７やステー６８が演奏者側から見えるため、外観上、好ましくない。
【０００４】
また、従来の他の電子ピアノの鍵盤蓋装置として、図１３〜図１５に示すものがそれぞれ知られている。図１３の鍵盤蓋装置７１は、演奏部７２の両側に配置された左右の腕木７３，７３と、アクリルなどの合成樹脂で成形された鍵盤蓋７４と、鍵盤蓋７４の後端部に取り付けられた補強材７５などを備えている。補強材７５は、アルミニウムなどの金属の押出成形品で構成され、左右方向に延びるとともにコ字形の断面を有しており、左右の両端部には、側方に突出した支軸（図示せず）が設けられている。左右の腕木７３，７３の後端部の内側面には軸穴（図示せず）がそれぞれ形成されており、この軸穴に補強材７５の支軸が回動自在に係合している。また、補強材７５には、鍵盤蓋７４の後端部が嵌め込まれている。さらに、演奏部７２の後端部には、開放状態において鍵盤蓋７４を所定の角度に保持するためのストッパ（図示せず）が設けられている。以上の構成により、鍵盤蓋７４は、支軸を中心に回動することにより、開閉されるとともに、開放状態においては、補強材７５の後端部がストッパに当接し、係止されることによって、所定の角度に保持され、この状態で譜面台として用いられる。また、アクリルなどから成る鍵盤蓋７４を、アルミニウムなどから成る補強材７５で補強することによって、鍵盤蓋７４の開放状態において、譜面の重さによる鍵盤蓋７４のたわみ変形が抑制される。
【０００５】
しかし、この鍵盤蓋装置７１では、補強材７５を構成するアルミニウムが高価であるため、製造コストが増大してしまう。また、鍵盤蓋７４の開放状態では、鍵盤蓋７４とこれに立てかけられた譜面の重さによる荷重が、支軸から比較的遠い位置に作用することによって、支軸回りに比較的大きなモーメントが作用する。
【０００６】
この開放状態では、鍵盤蓋７４が支軸に近い位置にあるストッパに係止されているので、ストッパ回りのモーメントのバランスにより、支軸には比較的大きな荷重が作用する。このため、腕木７３による支軸の支持力が十分でない場合には、鍵盤蓋７４に重い譜面を立てかけたときや、強い力を加えたときに、支軸がぶれるおそれがある。その場合には、鍵盤蓋７４の開放状態における保持動作や、開閉動作に支障をきたすなどの不具合が生じる。
【０００７】
図１４に示す鍵盤蓋装置８１は、アクリルなどで構成された鍵盤蓋７４の後端部を、演奏部７２の後端部に複数の蝶番８２を介して回動自在に支持したものである。この構成では、鍵盤蓋７４の中央部付近に取り付けられた蝶番８２によって、開放状態において譜面が立てかけられた際の鍵盤蓋７４のたわみが防止される。しかし、この鍵盤蓋装置８１では、演奏者側から蝶番８２が見えるため、外観上、好ましくない。
【０００８】
図１５に示す鍵盤蓋装置９１は、アクリルなどで構成された鍵盤蓋７４が取り外し可能な構成になっている。このように鍵盤蓋７４が取り外し式であるため、取り外しの作業が煩雑であり、特に幼児が１人で電子ピアノを演奏する場合などには、鍵盤蓋７４の着脱が困難である。
【０００９】
本発明は、上記課題を解決するためになされたものであり、合成樹脂で成形された鍵盤蓋を開放した状態で譜面台として使用する際の鍵盤蓋の変形を防止できるとともに、製造コストの削減および外観の向上を図ることができる電子鍵盤楽器の鍵盤蓋装置を提供することを目的とする。
【００１０】
【特許文献１】特開２００２−７３０２８号公報（第４頁、第１図）
【発明の開示】
【課題を解決するための手段】
【００１１】
この目的を達成するために、請求項１に係る発明は、鍵盤を含む演奏部を開閉する電子鍵盤楽器の鍵盤蓋装置であって、演奏部の両側に配置された左右の腕木と、合成樹脂の成形品で構成され、左右の腕木に回動自在に取り付けられるとともに、左右方向に沿って延び且つ閉鎖状態において下方に屈曲する屈曲部を後端部に有する鍵盤蓋と、演奏部に設けられ、鍵盤蓋の開放状態において、屈曲部が当接することによって、鍵盤蓋の後方への回動を規制するストッパと、を備えていることを特徴とする。
【００１２】
この電子鍵盤楽器の鍵盤蓋装置によれば、鍵盤蓋を閉じた状態（閉鎖状態）から持ち上げると、鍵盤蓋は、後方に回動し、その後端部に設けられた屈曲部がストッパに当接することによって、それ以上の後方への回動が規制され、この開放状態で譜面台として用いることが可能になる。鍵盤蓋は、その後端部に設けられた左右方向に延びる屈曲部によって、剛性が高められているので、重い譜面が立てかけられた場合でも、その重さによる後方へのたわみを抑制できる。さらに、開放状態では、鍵盤蓋は左右の腕木だけでなくストッパによっても支持されるため、鍵盤蓋および譜面の荷重をバランスよく支持でき、したがって、鍵盤蓋の変形をさらに抑制できる。
【００１３】
このように、鍵盤蓋の剛性をこれと一体に成形された屈曲部によって確保できるため、従来のアルミニウムなどから成る補強材が不要になり、製造コストを削減することができる。また、鍵盤蓋の剛性の確保や、鍵盤蓋の回動の規制のために設けられていた従来の蝶番やステーが不要になり、それにより外観を向上させることができる。
【００１４】
請求項２に係る発明は、請求項１に記載の電子鍵盤楽器の鍵盤蓋装置において、鍵盤蓋を左右の腕木に回動自在に取り付けるための左右の取付具をさらに備え、左右の腕木の内側面には係合凹部が形成されており、取付具は、内方に開口し且つ前後方向に連続する凹部を有し、凹部に鍵盤蓋の左右の両端部の後端部を嵌め込んだ状態で鍵盤蓋が取り付けられた蓋取付部と、蓋取付部から外方に突出し、左右の腕木の係合凹部にそれぞれ回動自在に係合する支軸部と、を有し、屈曲部の左右の両端部が、取付具の蓋取付部よりも大きな所定の幅で切り欠かれていることを特徴とする。
【００１５】
この構成によれば、鍵盤蓋は、蓋取付部および支軸部を有する取付具を介して、左右の腕木に回動自在に取り付けられている。具体的には、蓋取付部の凹部に、鍵盤蓋の左右の両端部の後端部を嵌め込み、取付具の支軸部を左右の腕木の係合凹部に係合することによって、鍵盤蓋は左右の腕木に回動自在に取り付けられる。このように、取付具を用いることにより、合成樹脂で構成された鍵盤蓋を、左右の腕木に支障なく取り付けることができる。また、取付具は、鍵盤蓋の左右の両端部の後端部に設けられるだけなので、演奏者側から見えにくく、外観を良好に保つことができる。
【００１６】
また、屈曲部の左右の両端部は、取付具の蓋取付部よりも大きな所定の幅で切り欠かれている。したがって、取付具を左右の腕木にそれぞれ取り付けた状態で、鍵盤蓋の左右の両端部を、屈曲部が邪魔になることなく、左右の蓋取付部の凹部に前方から差し込み、鍵盤蓋を後方にスライドさせることができ、それにより、鍵盤蓋を取付具に容易に取り付けることができる。
【００１７】
請求項３に係る発明は、請求項１に記載の電子鍵盤楽器の鍵盤蓋装置において、左右の腕木の少なくとも一方に設けられ、腕木に固定されたダンパ本体と、ダンパ本体に対して回動自在で、内方に突出するとともに、鍵盤蓋に回転不能に連結され、鍵盤蓋が閉鎖側へ回動するときに、鍵盤蓋を制動する回動軸と、を有するロータリーダンパをさらに備えていることを特徴とする。
【００１８】
この構成によれば、鍵盤蓋の開閉の際に、鍵盤蓋から手を離した場合でも、鍵盤蓋は、ロータリーダンパの働きによって、閉鎖側への回動が制動され、緩やかに閉鎖する。したがって、鍵盤蓋が急激に閉じることがなくなり、鍵盤蓋や鍵盤の破損を防止することができる。
【００１９】
請求項４に係る発明は、請求項３に記載の電子鍵盤楽器の鍵盤蓋装置において、回動軸は、非円形の断面を有しており、鍵盤蓋の裏面の左右の端部の少なくとも一方に取り付けられ、後方および上方に開放し、鍵盤蓋の裏面とともに、回動軸を回転不能に係止する係止凹部を形成する切欠を有する回動軸連結部材をさらに備えていることを特徴とする。
【００２０】
この構成によれば、ロータリーダンパの回動軸は、鍵盤蓋とその裏面に取り付けられた回動軸連結部材の間に形成された係止凹部に嵌め込まれる。また、回動軸は、非円形の断面を有しているため、係止凹部に嵌め込まれることで、これに回転不能に係止され、その結果、係止凹部が形成されている鍵盤蓋に対して回転不能に取り付けられる。以上により、鍵盤蓋と腕木の間に、ロータリーダンパを支障なく取り付けることができ、ロータリーダンパによる鍵盤蓋の制動効果を得ることができる
【００２１】
さらに、鍵盤蓋の裏面によって係止凹部が形成されるとともに、この係止凹部は後方に開口している。このため、ロータリーダンパをあらかじめ腕木に取り付け、腕木から内方に突出した回動軸の上に、鍵盤蓋の後端部を載せた状態で、鍵盤蓋を後方にスライドさせることによって、その係止凹部に回動軸を嵌め込むことができる。したがって、鍵盤蓋にロータリーダンパの回動軸を容易に取り付けることができる。
【００２２】
請求項５に係る発明は、請求項４に記載の電子鍵盤楽器の鍵盤蓋装置において、回動軸連結部材は、鍵盤蓋の裏面に順に重ねられた第１および第２の板材で構成され、第２の板材は、第１の板材よりも後方に突出する突出部を有し、切欠は、突出部の内側に形成されていることを特徴とする。
【００２３】
この構成によれば、長さの異なる２枚の板材を重ね合わせるだけで、切欠を有する回動軸連結部材を簡単に構成することができる。
【００２４】
請求項６に係る発明は、請求項１に記載の電子鍵盤楽器の鍵盤蓋装置において、鍵盤蓋を左右の腕木に回動自在に支持するために、鍵盤蓋および左右の腕木の一方に設けられた左右の支軸と、嵌合孔を有し、腕木および演奏部の少なくとも一方に固定され、支軸に嵌合孔を介して嵌合することによって、支軸の軸ぶれを阻止する軸ぶれ阻止具と、をさらに備えていることを特徴とする。
【００２５】
この構成によれば、腕木および演奏部の少なくとも一方に固定された軸ぶれ阻止具が、嵌合孔を介して、鍵盤蓋を支持する支軸に嵌合しているため、支軸が径方向に移動しようとしても、軸ぶれ阻止具に当接することによって、それ以上の移動が阻止される。したがって、鍵盤蓋に重い譜面を立てかけた場合や、強い力を加えた場合でも、支軸のぶれを阻止でき、それにより、開放状態における保持動作の悪化などを防止することができる。
【００２６】
請求項７に係る発明は、請求項４または５に記載の電子鍵盤楽器の鍵盤蓋装置において、ロータリーダンパの回動軸の基端部は、円形の断面を有しており、嵌合孔を有し、腕木および演奏部の少なくとも一方に固定され、回動軸の基端部に嵌合孔を介して嵌合することによって、回動軸の軸ぶれを阻止する軸ぶれ阻止具をさらに備えていることを特徴とする。
【００２７】
この構成によれば、ロータリーダンパの回動軸は、基端部の断面が円形で、基端部以外の部分は断面が非円形である。そして、この断面円形の基端部に、腕木および演奏部の少なくとも一方に固定された軸ぶれ阻止具が、嵌合孔を介して嵌合している。したがって、請求項６の場合と同様、譜面に重い譜面を立てかけた場合などにおいて、回動軸に大きな力が作用したときでも、回動軸のぶれを阻止することができる。また、回動軸の基端部が断面円形であるため、嵌合孔をこれにぴったり嵌合するような円形状にすることによって、回動軸をバランスよく円滑に支持することができる。さらに、回動軸の基端部以外の部分は、断面が非円形のままであるので、前述した請求項４および５の効果を維持することができる。
【図面の簡単な説明】
【００２８】
【図１】本発明の第１実施形態による電子ピアノの鍵盤蓋装置を閉鎖状態において示す側面図である。
【図２】図１の鍵盤蓋装置を開放状態において示す側面図である。
【図３】図２の後ろ側および上側の角部の部分拡大側面図である。
【図４】図１の鍵盤蓋装置の側端部を示す部分破断平面図である。
【図５】図４のＶ−Ｖ線に沿う断面図である。
【図６】第２実施形態による電子ピアノの鍵盤蓋装置を閉鎖状態において示す側面図である。
【図７】図６の鍵盤蓋装置を開放状態において示す部分拡大側面図である。
【図８】腕木へのロータリーダンパの取付状態を示す斜視図である。
【図９】鍵盤蓋の後端部の側端部を示す（ａ）側面図および（ｂ）底面図である。
【図１０】（ａ）第３板材、（ｂ）鍵盤蓋の側端部の後端部、（ｃ）第１板材および（ｄ）第２板材を示す平面図である。
【図１１】図６の鍵盤蓋装置の側端部を示す部分破断平面図である。
【図１２】従来の鍵盤蓋装置の側断面図である。
【図１３】従来のタイプの鍵盤蓋装置を概略的に示す斜視図である。
【図１４】従来の他のタイプの鍵盤蓋装置を概略的に示す斜視図である。
【図１５】従来のさらに別のタイプの鍵盤蓋装置を概略的に示す斜視図である。
【図１６】第２実施形態の変形例による軸ぶれ阻止具の（ａ）組立前および（ｂ）組立後の状態を示す斜視図である。
【図１７】図１６の軸ぶれ阻止具を含む鍵盤蓋装置を示す部分拡大側面図である。
【図１８】図１７の鍵盤蓋装置の鍵盤蓋の閉鎖状態における部分破断背面図である。
【発明を実施するための最良の形態】
【００２９】
以下、本発明の好ましい実施形態を、図面を参照しながら、詳細に説明する。図１および図２は、本発明の第１実施形態による鍵盤蓋装置を備えた電子ピアノを示している。同図に示すように、この電子ピアノ１は、脚を持たない卓上型のものであり、鍵盤３やコントロールパネル４などを含む演奏部５と、演奏部５を開閉するための鍵盤蓋装置２を備えている。鍵盤蓋装置２は、左右方向に延びる演奏部５の両側に配置された左右の腕木６，６（一方のみ図示）と、腕木６，６に回動自在に取り付けられ、演奏部５を開閉する鍵盤蓋７と、演奏部５に設けられたストッパ８などで構成されている。
【００３０】
腕木６は、上下および前後方向に延びる板状のものであり、後部から中央部のやや後ろ側まで一定の高さを有し、それよりも前側の部分は、前方に向かって直線状に徐々に低くなっている。また、腕木６の上面の前端部および後端部には、丸みが付けられている。各腕木６の内側面には、その後ろ側および上側の角部に、係合凹部９（図４参照）が形成されており、この係合凹部９には、プラスチック製のつば１０ａ付きの円筒状の軸受１０が嵌め込まれている。さらに、腕木６，６の前端部間には口棒１１が、後端部間には裏板１２が、それぞれ固定されている。
【００３１】
鍵盤蓋７は、合成樹脂、例えばアクリルの射出成形品で構成され、一定の厚さおよび側断面形状を有しており、閉鎖状態において左右の腕木６，６の上面に沿うように延びる本体部７ａと、その後端部に連続する屈曲部７ｂを一体に備えている。この屈曲部７ｂは、鍵盤蓋７の閉鎖状態において斜め前下がりに延びるように、本体部７ａに対して所定の角度で鋭角的に屈曲しており、所定の長さを有している。また、本体部７ａの左右の両側部には、その後端部、すなわち屈曲部７ｂに近い位置に、取付具１３，１３が取り付けられており、鍵盤蓋７は、これらの取付具１３，１３を介して、腕木６，６に回動自在に取り付けられている。さらに、屈曲部７ｂの左右の両端部は、取付具１３の後述する蓋取付部１３ａよりも大きな所定の幅で切り欠かれており、切欠１４になっている（図４参照）。また、本体部７ａの裏面の両端部には、切欠１４よりも前側の位置に、前後方向に延びる金属製の当て板１８が両面テープなどによって、取り付けられている（図５参照）。なお、鍵盤蓋７の前端面は、閉鎖状態において、口棒１１の上面に当接している。
【００３２】
上記の取付具１３は、金属、例えば軟鋼で構成されており、図４に示すように、鍵盤蓋７に取り付けられた蓋取付部１３ａと、この蓋取付部１３ａから外側方に突出し、腕木６に取り付けられた支軸部１３ｂで構成されている。図５に示すように、蓋取付部１３ａは、断面コ字状に形成されており、その内側方に開口し且つ前後方向に連続する凹部１５を有している。具体的には、蓋取付部１３ａは、上板１６ａ、下板１６ｂ、およびこれらの外側端間をつなぐ側板１６ｃで構成されており、下板１６ｂには、前後２つのねじ孔１７、１７（１つのみ図示）が形成されている。そして、鍵盤蓋７の各側端部に、取付具１３の凹部１５を嵌め込み、その下板１６ｂの各ねじ孔１７にねじ１９をねじ込み、その先端を鍵盤蓋７の裏面の当て板１８に当接させた状態で、ねじ１９を締め付けることによって、取付具１３が鍵盤蓋７に取り付けられている。図４に示すように、支軸部１３ｂは、側板１６ｃの後端部から外側方に突出するとともに、軸受１０を介して、腕木６の係合凹部９に回動自在に嵌め込まれている。この場合、軸受１０のつば１０ａは、腕木６と鍵盤蓋７との間隔を適正に保つためのスペーサの役割を果たす。
【００３３】
図１および図２に示すように、演奏部５は、腕木６，６間を左右方向に延びるシャーシ２１と、複数の鍵２２（白鍵および黒鍵を各１つのみ図示）からなる鍵盤３および複数のハンマー２３（１つのみ図示）と、コントロールパネル４などを備えている。シャーシ２１は、鍵盤３やハンマー２３を支持するとともに、左右方向に延びる前後の連結バー２４などを介して、棚板２５に支持されている。コントロールパネル４は、鍵２２の後部の上方に左右方向に延びるように配置されるとともに、腕木６，６に取付部材（図示せず）などを介して固定されている。コントロールパネル４には、各種のスイッチ（図示せず）が設けられ、その下方には、基板２６が取り付けられており、発音などを制御する制御装置（図示せず）に接続されている。また、コントロールパネル４の前端部には、譜面受２７が設けられている。この譜面受２７は、断面が台形の突起状のもので、左右方向に延びており、開放された鍵盤蓋７との間に、譜面Ｓが立てかけられる。
【００３４】
図３に示すように、コントロールパネル４の後ろ側の部分は、上下方向に対して若干の角度をもって前下がりに傾斜しており、その背面には、複数のねじ２８を介して、ストッパ８が取り付けられている。このストッパ８は、例えば折り曲げ加工された鉄板で構成され、左右方向に延びており、取付部８ａ、係止部８ｂおよび逃げ部８ｃで構成されている。取付部８ａは、コントロールパネル４の背面に、これに沿うように取り付けられており、背面を越えて若干上方に延びている。また、係止部８ｂは、取付部８ａの上端から鋭角状に斜め後ろ下がりに所定の長さ延び、その後端から逃げ部８ｃが、係止部８ｂに対してほぼ直角に斜め後ろ上がりに所定の長さ延びている。
【００３５】
次に、上記の構成の鍵盤蓋装置２による鍵盤蓋７の開閉動作を、図１〜図３を参照しながら説明する。図１に示すように、鍵盤蓋７が閉じた状態では、鍵盤蓋７の前端面は口棒１１の上面に当接しており、鍵盤蓋７は演奏部５を覆っている。この閉鎖状態から鍵盤蓋７を持ち上げると、鍵盤蓋７は、支軸部１３ｂを中心として同図の時計回りに回動する。この回動に伴い、屈曲部７ｂは、前方のストッパ８に向かい、その係止部８ｂおよび逃げ部８ｃを回り込むように回動する。そして、鍵盤蓋７が所定の角度まで回動すると、屈曲部７ｂは、ストッパ８に当接し、その位置でストッパ８に係止される。具体的には、図３に示すように、鍵盤蓋７は、その屈曲部７ｂの本体部７ａ側の面が係止部８ｂの下面に当接し、且つ屈曲部７ｂの先端が取付部８ａの背面に当接することによって、ストッパ８に係止される。これにより、鍵盤蓋７は、それ以上の後方への回動が規制され、この位置が開放状態になる（図２および図３の状態）。
【００３６】
一方、鍵盤蓋７を開放状態から閉鎖する場合には、鍵盤蓋７を手前に引く。これにより、鍵盤蓋７が支軸部１３ｂを中心に反時計回りに回動する。これに伴い、屈曲部７ｂは、ストッパ８から離れることによって、係止が解除され、係止部８ｂおよび逃げ部８ｃを回り込むように回動する。そして、鍵盤蓋７の前端面が口棒１１の上面に当接することにより、図１に示す閉鎖状態に復帰する。
【００３７】
以上の構成によれば、鍵盤蓋７は、左右方向に延びる屈曲部７ｂによって、剛性が高められているので、開放状態において、譜面受２７との間に重い譜面Ｓが立てかけられた場合でも、譜面Ｓの重さによる鍵盤蓋７の後方へのたわみを抑制することができる。このように、本体部７ａと一体に成形された屈曲部７ｂによって、剛性が確保されているので、従来のアルミニウムなどから成る補強材が不要になり、製造コストを削減することができる。同じ理由から、従来の蝶番が不要になる。さらに、鍵盤蓋７の屈曲部７ｂがストッパ８に係止されることによって、鍵盤蓋７の後方への回動を規制するので、従来のステーが不要になる。以上の結果、外観を向上させることができる。
【００３８】
また、ストッパ８の取付部８ａと係止部８ｂの間、および係止部８ｂと逃げ部８ｃの間で２段階に屈曲していることによって、ストッパ８の剛性が高められている。したがって、開放状態において、ストッパ８が、屈曲部７ｂと協働することによって、鍵盤蓋７の後方へのたわみをさらに抑制することができる。また、ストッパ８の逃げ部８ｃが、係止部８ｂの後端から斜め後ろ上がりに屈曲していて、前述したように、鍵盤蓋７の開閉の際に屈曲部７ｂが逃げ部８ｃを回り込むので、ストッパ８への屈曲部７ｂの係止およびその解除を円滑に行うことができる。なお、ストッパ８の剛性が確保できるのであれば、逃げ部８ｃを省略してもよい。
【００３９】
さらに、開放状態では、鍵盤蓋７は、左右の支軸部１３ｂ，１３ｂだけでなく、ストッパ８によっても支持されるため、鍵盤蓋７および譜面Ｓの荷重をバランスよく支持でき、したがって、鍵盤蓋７の変形をさらに抑制できるとともに、支軸部１３ｂが破損するおそれなどもなくなる。
【００４０】
次に、鍵盤蓋７を左右の腕木６，６に取り付ける方法を、図４および図５を参照しながら説明する。まず、腕木６，６の各係合凹部９に軸受１０を嵌め込み、さらにこの軸受１０に取付具１３の支軸部１３ｂを嵌め込み、取付具１３を各腕木６に取り付ける。次に、左右の取付具１３，１３の凹部１５、１５に、鍵盤蓋７の左右の切欠１４，１４の部分を差し込んだ後、鍵盤蓋７を後方にスライドさせる。そして、その状態で、鍵盤蓋７を後方に回動させ、取付具１３の下板１６ｂの各ねじ孔１７に、ねじ１９をねじ込み、その先端を当て板１８に当接させた状態で締め付けることによって、鍵盤蓋７が取付具１３に固定される。以上により、鍵盤蓋７は、取付具１３を介して、左右の腕木６，６に回動自在に取り付けられる。
【００４１】
以上のように、屈曲部７ｂに切欠１４，１４が形成されていることにより、鍵盤蓋７を取付具１３に取り付ける際の鍵盤蓋７の蓋取付部１３ａへの差し込みおよび後方へのスライドを、屈曲部７ｂが邪魔になることなく、支障なく行うことができ、したがって、鍵盤蓋７を取付具１３に容易に取り付けることができる。また、取付具１３を用いることにより、合成樹脂で構成された鍵盤蓋７を、腕木６，６に支障なく取り付けることができる。さらに、取付具１３は、鍵盤蓋７の左右の両端部の後端部に設けられるだけなので、演奏者側から見えにくく、外観を良好に保つことができる。
【００４２】
図６は、本発明の第２実施形態による鍵盤蓋装置３１を備えた電子ピアノ３２を示している。同図において、第１実施形態と同じ構成の部分については、同じ符号を用いて示している。この鍵盤蓋装置３１は、第１実施形態と比較して、主に鍵盤蓋３３の屈曲部３３ｂの形状が異なり、さらに取付具１３，１３に代えて、回動軸連結部材３４，３４およびロータリーダンパ３５，３５を備えたものである。
【００４３】
ロータリーダンパ３５は、左右の腕木３６，３６の後端部にそれぞれ設けられている。図８に示すように、各腕木３６の内側面（１つのみ図示）には、その後ろ側および上側の角部に、ダンパ取付凹部３７が形成されている。このダンパ取付凹部３７には、ダンパ固定具３８を介して、ロータリーダンパ３５が固定されている。
【００４４】
ロータリーダンパ３５は、例えば油圧式のものであり、正六角形の角柱状のダンパ本体３５ａと、ダンパ本体３５ａから内方に突出する回動軸３５ｂで構成されている。回動軸３５ｂは、ダンパ本体３５ａに回転自在に取り付けられており、基端部３５ｃが断面円形に形成されている以外は平らな矩形の断面を有するとともに、その先端部にはねじ孔３９が形成されている。ダンパ本体３５ａの内部には、オイルが充填されており、ロータリーダンパ３５は、このオイルの油圧によって、回動軸３５ｂが所定の一方向に回転するときのみ制動を加え、逆方向への回転に対しては制動を行わない、すなわち無負荷になるように構成されている。また、ダンパ本体３５ａには、これを取り囲むようにダンパ本体取付具４１が設けられている。具体的には、このダンパ本体取付具４１は、側面に沿うように巻かれた１枚の金属板で構成されており、その巻き始めと巻き終わりの部分が前方に突出し、上下に重ね合わされていて、この重ね合わされた部分に、左右２つの孔４２，４２が形成されている。
【００４５】
ダンパ固定具３８は、折り曲げた金属板で構成され、前後および上下方向に延びる腕木取付部４３と、これの上端の後部および前部から内方に直角にそれぞれ延びるダンパ受け部４４ａおよびダンパ固定部４４ｂで構成されている。ダンパ固定部４４ｂの高さは、ダンパ受け部４４ａよりも若干高い。また、腕木取付部４３には、３つの孔４３ａが形成されている。
【００４６】
ダンパ固定部４４ｂには、ダンパ本体取付具４１の孔４２，４２に対応するように、ねじ孔４５，４５が形成されている。そして、各孔４２に通したねじ４６をねじ孔４５にねじ込むことによって、ロータリーダンパ３５が、ダンパ固定具３８に固定されている。この状態では、ロータリーダンパ３５のダンパ本体３５ａが、ダンパ受け部４４ａに載置されている。そして、腕木３６のダンパ取付凹部３７に、ロータリーダンパ３５およびそれと一体のダンパ固定具３８が挿入された状態で、腕木取付部４３の各孔４３ａに通したねじ４７によって、ロータリーダンパ３５は、ダンパ固定具３８を介して、腕木３６に固定されている。
【００４７】
図６および図７に示すように、鍵盤蓋３３は、第１実施形態の鍵盤蓋７と比較して、屈曲部３３ｂの形状が主に異なっている。この屈曲部３３ｂは、本体部３３ａの後端部から、後方および下方に円弧状に若干延びており、その先端部は下方に直線的に延びている。また、鍵盤蓋３３の左右の両端部の後端部の所定位置には、前後２つの孔４８，４８が形成されている（図１０（ｂ）に一方のみ図示）。なお、屈曲部３３ｂの左右の両端部は、第１実施形態の屈曲部７ｂと異なり、切り欠かれていない。鍵盤蓋３３の他の部分の構成は、第１実施形態の鍵盤蓋７とほぼ同じである。
【００４８】
図６に示すように、鍵盤蓋３３の左右の両端部の後部には、回動軸連結部材３４，３４が取り付けられている（一方のみ図示）。各回動軸連結部材３４は、鍵盤蓋３３の裏面に順に重ねられた第１板材３４ａおよび第２板材３４ｂと、鍵盤蓋３３の表面に重ねられた第３板材３４ｃで構成されている。これらの第１〜第３板材３４ａ〜３４ｃは、金属板で構成されるとともに、左右方向の幅が互いに等しく、厚さは鍵盤蓋３３と同じである。図１０に示すように、第１板材３４ａは、矩形状のものであり、その後端部は、後方および外方に開放するように切り欠かれていて、切欠４９になっている。第２板材３４ｂは、切欠４９を有しない他は、第１板材３４ａと同じ形状であり、その後端部は、第１板材３４ａの切欠４９の下側まで延び、その部分が突出部５０ａになっていて、この突出部５０ａにねじ孔５０が形成されている。第３板材３４ｃは、第１および第２板材３４ａ，３４ｂよりも後方に長く延びており、鍵盤蓋３３の本体部３３ａの後端部および屈曲部３３ｂと同じ形状を有し、それらの表面にぴったり重なり合うようになっている（図９参照）。また、第１〜第３板材３４ａ〜３４ｃには、鍵盤蓋３３の孔４８，４８に対応する位置に、孔４８，４８がそれぞれ形成されている（図１０参照）。
【００４９】
図９に示すように、鍵盤蓋３３の表面には第３板材３４ｃが重ねられ、裏面には第１および第２板材３４ａ，３４ｂが順に重ねられている。そして、この状態で互いに連続した第１〜第３板材３４ａ〜３４ｃおよび鍵盤蓋３３の孔４８，４８に、めねじ部（図示せず）を有するねじ受け５１，５１を表面側から挿入し、これらのねじ受け５１，５１に、裏面側からねじ５２，５２をねじ込むことによって、回動軸連結部材３４が鍵盤蓋３３に固定されている。この状態では、切欠４９の上下が、鍵盤蓋３３および第２板材３４ｂでそれぞれ塞がれることによって、係止凹部５３が形成されている。
【００５０】
図１１に示すように、この係止凹部５３には、ロータリーダンパ３５の回動軸３５ｂが嵌め込まれ、係止されている。そして、図９に示すように、鍵盤蓋３３の裏側から、ねじ５４が、第２板材のねじ孔５０および回動軸３５ｂのねじ孔３９にねじ込まれている。以上により、回動軸３５ｂは、鍵盤蓋３３に回転不能に係止されるとともに、固定されている。
【００５１】
図７に示すように、コントロールパネル４の背面には、ストッパ５５が設けられている。ストッパ５５は、例えば折り曲げ加工された鉄板で構成され、左右方向に延びており、取付部５５ａおよび係止部５５ｂで構成されている。取付部５５ａは、コントロールパネルの背面に、これに沿うように複数のねじ５６（１つのみ図示）で取り付けられており、背面とほぼ同じ高さまで延びている。係止部５５ｂは、取付部５５ａの上端から鋭角状に斜め後ろ下がりに所定の長さ延びている。
【００５２】
本実施形態の鍵盤蓋３３の開閉動作は、第１実施形態の場合と基本的に同じであり、以下、図６および図７を参照しながら説明する。図６に示すように、閉鎖状態から鍵盤蓋３３を持ち上げると、鍵盤蓋３３は、ロータリーダンパ３５の回動軸３５ｂを中心として同図の時計回りに回動する。この回動に伴い、屈曲部３３ｂは、ストッパ５５に向かい、その係止部５５ｂを回り込むように回動する。そして、鍵盤蓋３３が所定の角度まで回動すると、屈曲部３３ｂは、ストッパ５５の係止部５５ｂに当接し、その位置で係止され、この位置が鍵盤蓋３３の開放位置になる（図７の状態）。
【００５３】
一方、開放状態から閉鎖する場合は、鍵盤蓋３３を手前に引く。これにより、鍵盤蓋３３がロータリーダンパ３５の回動軸３５ｂを中心に反時計回りに回動する。これに伴い、屈曲部３３ｂが、ストッパ５５から離れることによって、係止が解除される。また、ロータリーダンパ３５の制動効果によって、鍵盤蓋３３は、ゆっくりと閉鎖側に回動する。そして、鍵盤蓋３３の前端面が口棒１１の上面に当接することにより、図６に示す閉鎖状態に復帰する。
【００５４】
以上の構成により、第２実施形態においても、屈曲部３３ｂによって、鍵盤蓋３３の剛性を確保でき、譜面Ｓの重さによる鍵盤蓋３３のたわみを抑制できるなど、前述した第１実施形態による効果を全く同様に得ることができる。さらに、ロータリーダンパ３５を備えているので、鍵盤蓋３３を開閉する際に、鍵盤蓋３３から手を離した場合でも、ロータリーダンパ３５による制動効果によって、鍵盤蓋３３は緩やかに閉鎖側に回動する。したがって、鍵盤蓋３３は急激に閉じることがないので、鍵盤蓋３３や演奏部５の破損を防止することができる。
【００５５】
また、ロータリーダンパ３５の矩形の断面を有する回動軸３５ｂが、係止凹部５３を介して、鍵盤蓋３３に回転不能に係止され、固定されているので、鍵盤蓋３３と左右の腕木３６，３６の間に、ロータリーダンパ３５，３５を支障なく取り付けることができる。
【００５６】
次に、鍵盤蓋３３を左右の腕木３６，３６に取り付ける方法を説明する。まず、各腕木３６のダンパ取付凹部３７に、ダンパ固定具３８を介して、ロータリーダンパ３５を固定する。これとは別個に、鍵盤蓋３３に回動軸連結部材３４，３４を取り付け、組み立てる。そして、左右の腕木３６，３６から内方に突出した回動軸３５ｂ，３５ｂの上に、組み立てた鍵盤蓋３３の係止凹部５３よりも少し後ろ側の部分を載せる。次に、鍵盤蓋３３を後方にスライドさせることによって、各回動軸３５ｂに係止凹部５３を嵌め込み、係止する。次に、鍵盤蓋３３を後方に回動させ、第２板材３４ｂのねじ孔５０および回動軸３５ｂのねじ孔３９に、ねじ５４をねじ込み、締め付ける。以上により、鍵盤蓋３３は、ロータリーダンパ３５の回動軸３５ｂに回転不能に係止・固定させた状態で、ロータリーダンパ３５を介して、左右の腕木３６，３６に回動自在に取り付けられる。以上のように、第２実施形態においても、第１実施形態と同様に、鍵盤蓋３３を、左右の腕木３６，３６に容易に取り付けることができる。
【００５７】
図１６〜図１８は第２実施形態の変形例を示している。この鍵盤蓋装置１００は、図７に示す第２実施形態の鍵盤蓋装置３１に、軸ぶれ阻止具１０１を付加したものである。この軸ぶれ阻止具１０１は、左右のロータリーダンパ３５，３５にそれぞれ取り付けられる（図１６に右側のもののみ図示）。軸ぶれ阻止具１０１は、例えば鉄板をプレスにより打ち抜きおよび折り曲げ加工したものであり、本体部１０２と、この本体部１０２から直角に延びる固定部１０３とから、Ｌ字型に形成されている。本体部１０２の上部および後ろ側の角部には、ロータリーダンパ３５の回動軸３５ｂの基端部３５ｃとほぼ等しい径を有する円形の嵌合孔１０２ａが形成されている。固定部１０３の前側および内側の角部には、固定用の孔１０３ａが形成されている。また、軸ぶれ阻止具１０１の前後方向の幅は、図８に示す腕木３６のダンパ取付凹部３７の前後方向の幅にほぼ等しい。
【００５８】
図１７に示すように、コントロールパネル４の水平に延びる後部の所定位置には、ねじ孔１０５が形成されている。そして、軸ぶれ阻止具１０１は、図１８に示すように、その嵌合孔１０２ａがロータリーダンパ３５の回動軸３５ｂの基端部３５ｃに嵌合した状態で、ねじ１０４を固定部１０３の孔１０３ａに通し、コントロールパネル４のねじ孔１０５にねじ込むことによって、コントロールパネル４に固定されている。
【００５９】
以上の構成によれば、コントロールパネル４に固定された軸ぶれ阻止具１０１が、その嵌合孔１０２ａを介してロータリーダンパ３５の回動軸３５ｂの基端部３５ｃに嵌合している。したがって、鍵盤蓋３３に重い譜面を立てかけた場合や、強い力を加えた場合でも、回動軸３５ｂのぶれを、これに嵌合する軸ぶれ阻止具１０１によって阻止でき、開放状態における保持動作や、開閉動作の悪化などを防止することができる。また、回動軸３５ｂの基端部３５ｃが断面円形であるとともに、嵌合孔１０２ａが、これと同じ径を有し、ぴったり嵌合しているので、回動軸３５ｂをバランスよく円滑に支持することができる。また、軸ぶれ阻止具１０１が、ロータリーダンパ３５やダンパ固定具３８を覆うので、これにより、開放状態における電子ピアノ３２の外観を向上させることができる。
【００６０】
なお、本発明は、説明した実施形態に限定されることなく、種々の態様で実施することができる。例えば、本実施形態では、屈曲部７ｂの厚さと鍵盤蓋７の厚さが等しく設定されているが、屈曲部７ｂを本体部７ａよりも厚くすることによって、さらに剛性を高めてもよい。また、鍵盤蓋７の屈曲部７ｂおよびストッパ８の形状やサイズは、これらの剛性を確保でき、且つ鍵盤蓋７をストッパ８により確実に係止できるものであれば、本実施形態に限らず任意である。さらに、ストッパ８は左右方向に連続して延びているが、例えば複数のストッパ８を間隔を隔てて設けてもよく、特に鍵盤蓋７がたわみやすい中央部付近に重点的に設けてもよい。また、第１および第２板材３４ａ，３４ｂを一体に成形した部材を用いてもよい。また、本実施形態のロータリーダンパ３５は油圧式のものであるが、ばね式や摩擦式のものを使用してもよい。
【００６１】
また、実施形態では、軸ぶれ阻止具１０１を、ロータリーダンパ３５の回動軸３５ｂの軸ぶれを防止するために適用したが、第１実施形態の取付具１３の支軸部１３ｂの軸ぶれを防止するのに用いてもよく、それにより、前述した効果を同様に得ることができる。また、軸ぶれ阻止具１０１をコントロールパネル４に固定したが、演奏部５のコントロールパネル４以外の部分や、腕木３６など、適当な任意の部位に固定することが可能である。また、実施形態では、本発明を卓上型の電子ピアノに適用した例を説明したが、脚を有する一般的な電子ピアノにも適用できるのはもちろんである。
【００６２】
また、実施形態は、本発明を電子ピアノに適用した例であるが、本発明は、これに限らず、電子オルガンやシンセサイザなどの他のタイプの電子鍵盤楽器に適用することも、もちろん可能である。その他、本発明の趣旨の範囲内で、細部の構成を適宜、変更することが可能である。
【符号の説明】
【００６３】
１    電子ピアノ（電子鍵盤楽器）
２    鍵盤蓋装置
３    鍵盤
５    演奏部
６    腕木
７    鍵盤蓋
７ｂ    屈曲部
８    ストッパ
９    係合凹部
１３    取付具
１３ａ    蓋取付部
１３ｂ    支軸部
１４    切欠
１５    凹部
３１    鍵盤蓋装置
３２    電子ピアノ
３３    鍵盤蓋
３３ｂ    屈曲部
３４    回動軸連結部材
３４ａ    第１板材（第１の板材）
３４ｂ    第２板材（第２の板材）
３５    ロータリーダンパ
３５ａ    ダンパ本体
３５ｂ    回動軸
３５ｃ    基端部
３６    腕木
４９    切欠
５０ａ    突出部
５３    係止凹部
５５    ストッパ
１００    鍵盤蓋装置
１０１    軸ぶれ阻止具
１０２ｂ  嵌合孔
【図１】
2005107462.tif 000003
【図２】
2005107462.tif 000004
【図３】
2005107462.tif 000005
【図４】
2005107462.tif 000006
【図５】
2005107462.tif 000007
【図６】
2005107462.tif 000008
【図７】
2005107462.tif 000009
【図８】
2005107462.tif 000010
【図９】
2005107462.tif 000011
【図１０】
2005107462.tif 000012
【図１１】
2005107462.tif 000013
【図１２】
2005107462.tif 000014
【図１３】
2005107462.tif 000015
【図１４】
2005107462.tif 000016
【図１５】
2005107462.tif 000017
【図１６】
2005107462.tif 000018
【図１７】
2005107462.tif 000019
【図１８】
2005107462.tif 000020